(57)【要約】【課題】  液体を貯留する槽体の排水栓を、磁力によって開閉可能とする。【解決手段】  排水口の下部に取り付けるエルボ１１０の壁面に、排水栓１３０を駆動するための駆動機構１５０を組み込む。駆動機構１５０は、回転軸１５０Ｃ周りに回転することによってアーム１５１を壁面から突出させ、突起部１３２ｂを押し上げることで、排水栓１３０を開く。駆動機構１５０には、大径の伝達部材１５３が一体形成されており、ここに取り付けられた磁石１５４に対して、外部に用意された開閉機構１４０から磁力を作用させる。開閉機構１４０の駆動用磁石１４３を移動させると、これに伴い磁力によって伝達部材１５３が回転し、アーム１５１で排水栓１３０を押し上げることができる。  このように、大径の伝達部材１５３を用いることにより、外部から作用させる磁力が比較的弱い場合でも、トルクを増大して、排水栓１３０を開閉することができる。【選択図】  図２
2014159697.tif 000002
【特許請求の範囲】
【請求項１】
液体を貯留する槽体の排出口を塞ぐ排水栓を開閉する排水栓装置であって、
前記排出口に連通し、前記液体の流路を形成する流路部材と、
前記流路部材内に組み付けられ、前記排水栓を開閉する駆動部材と、
前記流路部材内に組み付けられ、第１の磁石または磁性体を有し、該第１の磁石または磁性体に作用する磁力またはトルクを増大させた駆動力を前記駆動部材に伝達する伝達部材と、
前記流路部材外から前記第１の磁石または磁性体に対して、前記駆動部材を駆動させるための磁力またはトルクを作用させる開閉機構とを備える
排水栓装置。
【請求項２】
請求項１記載の排水栓装置であって、
前記駆動部材は、回動によって前記排水栓を開閉する機構であり、
前記伝達部材は、前記駆動部材の回動中心から前記排水栓に駆動力を及ぼす作用点までの距離よりも大径の回転部材を有し、該回転部材には前記第１の磁石または磁性体が取り付けられている排水栓装置。
【請求項３】
請求項１または２記載の排水栓装置であって、
前記開閉機構は、前記第１の磁石または磁性体に磁気的な引力を作用させつつ、該引力の作用方向を可変とする機構である排水栓装置。
【請求項４】
請求項１〜３いずれか記載の排水栓装置であって、
前記流路部材は、該流路を形成する円筒状の部位を有しており、
前記駆動部材は、前記円筒状の面から前記流路内に突出するように回動することによって前記排水栓を動作させる突出部材を有しており、
前記伝達部材は、前記突出部材のトルクまたは駆動力を増大して伝達する機構である排水栓装置。
【請求項５】
請求項１〜３いずれか記載の排水栓装置であって、
前記流路部材は、該流路を形成する円筒状の部位を有しており、
前記駆動部材は、前記円筒状の面から前記流路内に突出し、前記円筒状の面の法線を回転軸として回転させることで前記排水栓を動作させるカム機構であり、
前記伝達部材は、前記突出部材のトルクまたは駆動力を増大して伝達する機構である排水栓装置。
【発明の詳細な説明】
【技術分野】
【０００１】
本発明は、液体を貯留する槽体の排出口を塞ぐ排水栓を開閉する排水栓装置に関する。
【背景技術】
【０００２】
従来、浴槽などの排水口を機械的に開閉する排水栓装置が存在した。
図１は従来技術としての排水栓装置の断面図である。図１（ａ）は全体構造を示している。排水栓装置１は、浴槽１０の底板１１の排水栓１４を開閉するための装置である。開閉機構４を操作するための操作ボタン２は、槽体１２の上部のリム１３に設けられている。操作ボタン２を押し下げると、その動作がレリースワイヤ３で伝達され、排水栓装置１を機械的に開閉することができる。
図１（ｂ）は、排水口付近を拡大して示した。排水口を塞ぐ蓋体Ｖは、ツメＶ１を先端部Ｌ１にはめ込むことで支柱Ｌに取り付けられている。支柱Ｌは、排水口内部に固定されたスリーブＳに挿入されており、スリーブＳに対して相対的に上下動できるようになっている。レリースワイヤは、アウタチューブ３Ｔ内に駆動用のインナワイヤ３Ｗを貫通させた構造となっており、アウタチューブ３ＴはスリーブＳに固定されており、インナワイヤ３Ｗは支柱Ｌに固定されている。アウタチューブ３Ｔに対してインナワイヤ３Ｗを移動させると、その動きに連動して、支柱ＬがスリーブＳに対して上下し、蓋体Ｖを開閉する。
【０００３】
駆動機構の構造を簡素化するため、磁力によって開閉させる機構が提案されている。特許文献１は、排水栓の蓋体から下側に延びるロッドの下端に磁石を取付け、この磁石に斥力を及ぼす駆動用の磁石を外部から近づけることによって磁力で蓋体を開く技術を開示する。特許文献２は、同じくロッドの下端に磁石を取付け、この磁石に引力を及ぼす駆動用の磁石を用意し、この磁石を動かすことによって、連動して蓋体を動かす技術を開示する。特許文献３は、排水栓に取り付けられた磁石に対して、外部の磁石から斥力を及ぼして平常時には排水栓を斥力で開いた状態に保持しつつ、この外部の磁石の磁力に反する極性の磁力を電磁石で加えることによって斥力を弱め、蓋体を閉じさせる技術を開示する。
【先行技術文献】
【特許文献】
【０００４】
【特許文献１】特開平７−３１７１１８号公報
【特許文献２】特開２００１−２０３４０号公報
【特許文献３】特開２００８−６３８４０号公報
【発明の概要】
【発明が解決しようとする課題】
【０００５】
磁力によって開閉させる機構は、構造が簡素化される利点があるものの、磁力を利用するため、機械的に直接に連結された機構に比較して、蓋体を駆動させるために伝達可能な駆動力が低い。そのため、浴槽などのように比較的多量の水を貯留し、比較的大きな水圧がかかる排水栓に対しては、駆動力が不足することがあった。
かかる課題は、排水栓に特有のものではなく、油、アルコールなど種々の液体を貯留する槽体からの排出口を塞ぐ排水栓を開閉するのに共通の課題であった。本発明は、かかる課題に鑑み、磁力を利用して排水栓を安定的に駆動可能とすることを目的とする。
【課題を解決するための手段】
【０００６】
本発明は、
液体を貯留する槽体の排出口を塞ぐ排水栓を開閉する排水栓装置であって、
前記排出口に連通し、前記液体の流路を形成する流路部材と、
前記流路部材内に組み付けられ、前記排水栓を開閉する駆動部材と、
前記流路部材内に組み付けられ、第１の磁石または磁性体を有し、該第１の磁石または磁性体に作用する磁力またはトルクを増大させた駆動力を前記駆動部材に伝達する伝達部材と、
前記流路部材外から前記第１の磁石または磁性体に対して、前記駆動部材を駆動させるための磁力またはトルクを作用させる開閉機構とを備える構成とすることができる。
本発明は、水、油など種々の液体を貯留する槽体に利用可能であるが、一例として、湯水を貯留するための浴槽の排水栓に適用することが考えられる。本明細書では、「排水栓」という用語は、水に限らず種々の液体を排出する部分に用いられる栓という意味で用いる。
【０００７】
本発明によれば、流路部材内に組み付けられた駆動部材を、流路外の開閉機構から磁力によって駆動することができるため、開閉機構が液体によって汚損等されることを回避できる。また、磁力で駆動する構成とすることにより、駆動部材および伝達部材と開閉機構とを機械的に連結する必要がなくなるため、構造を簡素化することができる。
さらに本発明では、開閉機構から作用される磁力等を伝達部材によって増大させて駆動部材に伝達することができる。従って、開閉機構から作用する磁力が比較的弱い場合であっても、駆動部材を駆動することができる。
【０００８】
本発明において、伝達部材は、種々の機構を適用可能である。磁力を増大させるものとしては、例えば、ロッカーアーム、スイングアーム、輪軸など、てこの原理を応用した種々の機構が挙げられる。トルクを増大させるものとしては、例えば、径の異なるプーリやギヤなどが挙げられる。
駆動部材も種々の機構を適用可能である。例えば、磁力を受けて動作する部位に接続されたレリースワイヤ等で排水栓を開閉する機構を適用してもよい。また、駆動部材は、排水栓と必ずしも常時、機械的に連結されている必要はない。排水栓を開く時にのみ、排水栓に接触し、力を加えるような機構としてもよい。
【０００９】
本発明において、
前記駆動部材は、回動によって前記排水栓を開閉する機構であり、
前記伝達部材は、前記駆動部材の回動中心から前記排水栓に駆動力を及ぼす作用点までの距離よりも大径の回転部材を有し、該回転部材には前記第１の磁石または磁性体が取り付けられているものとしてもよい。
かかる伝達部材を用いることにより、輪軸の作用によって、外部からの磁力を増大して得られる駆動力を伝達することができる。
駆動部材は、クランク機構、カム機構など、回転によって排水栓を開閉させる種々の機構とすることができる。
伝達部材は、必ずしも外見上、小径の部分と大径の部分の双方を有している必要はなく、大径の回転部材のみを有していてもよい。また、大径の回転部材は駆動部材と一体的に形成されていてもよいし、別体となっていてもよい。
【００１０】
本発明において、
前記開閉機構は、前記第１の磁石または磁性体に磁気的な引力を作用させつつ、該引力の作用方向を可変とする機構であるものとしてもよい。
こうすることによって、開閉機構における磁力の作用方向の変化に連動させて、伝達部材を移動させることができ、排水栓を開閉させることができる。本発明では、斥力を利用して駆動することも可能ではあるが、斥力による場合は、その強さに応じて排水栓が突然動き始めることもあるのに対し、引力を利用する場合には、排水栓の動作を制御しやすくなる利点がある。
引力の作用方向を可変とする機構としては、例えば、開閉機構における磁石または磁性体の位置を移動または回転させる機構、開閉機構における磁力線の方向を可変とする機構とすることができる。後者の例としては、開閉機構に複数のコイルからなる電磁石を作用し、通電するコイルを切り換える方法などが該当する。
【００１１】
本発明において、
前記流路部材は、該流路を形成する円筒状の部位を有しており、
前記駆動部材は、前記円筒状の面から前記流路内に突出するように回動することによって前記排水栓を動作させる突出部材を有しており、
前記伝達部材は、前記突出部材のトルクまたは駆動力を増大して伝達する機構であるものとしてもよい。
本発明における第１の構造例である。突出部材は、排水栓を開くときに円筒状の面から突出するアーム機構の一種として構成される。アーム機構の回転軸は円筒状の面の接線方向の軸となる。伝達部材は突出部材に対するトルクまたは駆動力を増大して伝達する機構となる。例えば、伝達部材が突出部材の回転軸と同一の回転軸を有する輪軸とする場合には、突出部材が排水栓に力を加える作用点と回転軸との距離よりも伝達部材の径を大きくすればよい。また、このような径を有する伝達部材と突出部材の回転軸をずらし、トルクをギヤまたはプーリで伝達するようにしてもよい。
【００１２】
本発明において、
前記流路部材は、該流路を形成する円筒状の部位を有しており、
前記駆動部材は、前記円筒状の面から前記流路内に突出し、前記円筒状の面の法線を回転軸として回転させることで前記排水栓を動作させるカム機構であり、
前記伝達部材は、前記突出部材のトルクまたは駆動力を増大して伝達する機構であるものとしてもよい。
本発明における第２の構造例である。例えば、伝達部材は、カム機構が排水栓に駆動力を加える作用点と回転軸との距離よりも、大径の部材とすることにより駆動力を増大して伝達することができる。伝達部材は、駆動部材と同一の回転軸を有する輪軸としてもよいし、回転軸をずらし、トルクをギヤまたはプーリで伝達する機構としてもよい。
【００１３】
本発明において、上述の種々の特徴は、必ずしも全てを備えている必要はない。その一部を省略等したり、適宜、組合せたりして構成することも可能である。
【図面の簡単な説明】
【００１４】
【図１】従来技術としての排水栓装置の断面図である。
【図２】排水栓装置の構造を示す説明図である。
【図３】排水栓の開閉動作を示す説明図である。
【図４】第２実施例における排水栓装置の構造を示す説明図である。
【図５】第２実施例における排水栓の開閉動作を示す説明図である。
【発明を実施するための形態】
【実施例１】
【００１５】
本発明の排水栓装置につき、浴槽の排水口に取り付ける排水栓装置として構成した場合の実施例を以下に示す。排水栓装置は、浴槽の底板１１（図１参照）の底面にある排水口を開閉するための装置である。図１に示したのと同様、浴槽のリム１３などに設けた操作ボタン２を押すと、その操作力がレリースワイヤを介して伝達され、排水栓を開閉することができる。
図２は、排水栓装置の構造を示す説明図である。図２（ａ）には断面図を示した。底板１１に設けられた排水口の下部には、エルボ１１０が連通している。図２（ｂ）はエルボの斜視図である。エルボ１１０は、円筒状の本体１１４に排水管との連結部１１３、および開閉機構１４０が取り付けられており、その中央には円筒状の支柱１１５が形成されている。支柱１１５には、支柱の立設方向に沿って断面矩形の回り止め１１５ａが一体的に形成されている。本体１１４の上部には水平方向に広がるフランジ部１１１が形成されており、本体１１４の上部内面にはネジ溝１１２が形成されている。
図２（ａ）に示すように、排水口には、上側から排水口部材１２０が取り付けられる。排水口部材１２０は円筒状の本体１２２と、上部のフランジ部１２１から成り、本体１２２の外周には、エルボ１１０のネジ溝１１２に適合するネジ溝１２３が形成されている。排水口を下側からエルボ１１０、上側から排水口部材１２０で挟み込むようにして、ネジ溝１１２、１２３を締め付けることによって、これらの部材を固定することができる。排水口とエルボ１１０および排水口部材１２０との間には、それぞれシール１２５、１２６が施されている。
【００１６】
エルボ１１０の支柱１１５は、本実施例では稠密としているが中空としてもよい。図２（ｂ）で説明した通り、支柱１１５には回り止め１１５ａが形成されている。図２（ａ）において支柱１１５が左右非対称に描かれているのは、回り止め１１５ａを含む断面を図示しているからである。
【００１７】
排水栓１３０は、蓋体１３１と、その下側に延伸する円筒状のスライド部１３２を有している。蓋体１３１とスライド部１３２とは、一体成形してもよいし、別部材を接合等してもよい。
蓋体１３１は、排水口部材１２０を上側から覆い得る外径で上側に凸の円盤状部材である。以下、蓋体１３１について、浴槽に貯留された水圧がかかる側の面を表面、逆の面を裏面と呼ぶこともある。蓋体１３１の裏面側の排水口部材１２０と当たる部分には、シール１３６が取り付けられている。
スライド部１３２は、円筒状とする他、円周方向に分割して配置された複数枚の板状部材の集まりとしてもよい。スライド部１３２には、開閉機構に対応する部位に、排水栓を押し上げるための駆動力を受ける突起部１３２ｂが形成されている。また突起部１３２ｂの上方はスライド部１３２の肉厚を厚くした補強部１３２ａとなっている。
スライド部１３２は、エルボ１１０に形成された支柱１１５にはまり、排水栓１３０の開閉時にその周囲を上下にスライドする。従って、スライド部１３２の内径は、支柱１１５の外径より若干大きい程度に設定されている。このようにスライド部１３２および支柱１１５は、排水栓１３０の上下動の方向を規制する機能を奏する。
【００１８】
エルボ１１０の本体１１４には、排水栓１３０を駆動するための駆動機構１５０が組み込まれている。駆動機構１５０は、本体１１４の壁面の接線方向を回転軸１５０ｃとして回転するアーム１５１を有している。排水栓１３０が閉じている時は、図２（ａ）に示すようにアーム１５１は本体１１４の壁面内に収容される。こうすることにより、エルボ１１０の内部の構造を簡素化することができ、清掃しやすくなるなどの利点がある。
排水栓１３０を開く場合には、アーム１５１を回転させると、その先端作用部１５２が排水栓１３０の突起部１３２ｂを下から押し上げることによって、排水栓１３０を開くことができる。先端作用部１５２とは、アーム１５１の先端のうち、回転した時に突起部１３２ｂに当たり、突起部１３２ｂを押し上げる力を加える部分のことを言う。本体１１４の一部はストッパ１１４ａとなっており、アーム１５１の回転を規制する役割を果たす。開閉動作については、後述する。
アーム１５１には、大径の平板状の扇形のトルク伝達部材１５３が一体的に形成されている。トルク伝達部材１５３の外周付近には磁石１５４が取り付けられている。本実施例では、磁石１５４の極性は外側をＮ極、内側をＳ極としたが、逆でもよい。この磁石１５４に外部から磁力を作用させることによってトルク伝達部材１５３に回転軸１５０ｃ周りの回転トルクが作用することになる。
トルク伝達部材１５３の半径は、回転軸１５０ｃからアーム１５１の先端作用部１５２までの距離よりも大きくなっている。こうすることによって、輪軸の作用に基づき、トルク伝達部材１５３に外部から作用した磁力は増大した駆動力として、アーム１５１の先端作用部１５２に伝達されることになる。従って、外部から作用する磁力が比較的弱い場合であっても、排水栓１３０を駆動するのに十分な駆動力を出力することが可能となる。
【００１９】
開閉機構１４０は、磁力によって駆動機構１５０を駆動するための機構であり、矩形の本体１４１内に組み込まれている。図示するように本体１４１には、トルク伝達部材１５３の外周に沿うように円弧状の空隙１４２が形成されている。空隙１４２には、駆動用磁石１４３が備えられている。駆動用磁石１４３は、トルク伝達部材１５３の磁石１５４と引き合う向きの極性、この例では、内側がＳ極、外側がＮ極となっている。
空隙１４２の端部には、レリースワイヤ３のアウタチューブ３Ｔが固定されている。操作ボタン２（図１参照）を押すと、アウタチューブ３Ｔに対して相対的にインナワイヤ３Ｗが動くため、これに合わせて磁石１４３が空隙１４２内を移動することになる。駆動用磁石１４３とトルク伝達部材１５３の磁石１５４とは、引力が作用するように極性が設定されているから、駆動用磁石１４３の移動に伴ってトルク伝達部材１５３には回転トルクが作用する。
本実施例では、各磁石１４３、１５４は、磁力が強力なネオジム磁石を用いるものとした。他の永久磁石を用い、また部位によっては電磁石を利用することもできる。
本実施例では、開閉機構１４０は、エルボ１１０の本体１１４の壁面よりも外部に組み込まれるため、槽体に貯留される液体の排出経路からは隔離されることになる。従って、開閉機構１４０がこうした液体によって汚損等されることを防止できる。
【００２０】
図３は、排水栓の開閉動作を示す説明図である。図３（ａ）には、排水栓１３０が閉じている状態を示した。開閉機構１４０の駆動用磁石１４２は空隙１４２内の上端にある。この状態では、アーム１５１の先端作用部１５２は排水栓１３０の突起部１３２ｂに触れていないため、排水栓１３０を開閉する力は作用していない。
図３（ｂ）は、開閉機構１４０を操作して、駆動用磁石１４２を空隙１４２の途中まで移動させた状態を示している。駆動用磁石１４２の移動に併せて伝達部材１５３が回転し、アーム１５１が壁面より突出してくる。図２（ｂ）は、先端作用部１５２が排水栓１３０の突起部１３２ｂに接触した状態を示している。
図３（ｃ）は、さらに駆動用磁石１４２を空隙１４２の下端まで動かした状態を示している。駆動用磁石１４２の移動に併せてトルク伝達部材１５３が回転し、アーム１５１が壁面より突出するとともに、先端作用部１５２が排水栓１３０の突起部１３２ｂを下から押し上げる。この結果、アーム１５１によって排水栓１３０が押し上げられ、排水栓１３０を開くことができる。本実施例では、アーム１５１はほぼ水平位置まで動くようにし、排水栓１３０の可動ストロークを確保した。アーム１５１の動きは、エルボ１１４の本体の一部がストッパ１１４ａとして構成されており、これがアーム１５１に当たることによって規制される。
【００２１】
以上で説明した第１実施例の排水栓装置によれば、エルボ１１０の外部から磁力を作用させることで、排水栓１３０を開閉することができる。
また外部から作用させた磁力は、トルク伝達部材１５３によって増大され、排水栓１３０を押し上げる駆動力となるため、磁力が比較的弱い場合でも、アーム１５１から排水栓１３０に対しては、開閉するのに十分な駆動力を伝えることができる。従って、第１実施例の機構によれば、浴槽のように高い水圧がかかっている排水栓についても、磁力によって安定して開閉可能とすることができる。
【実施例２】
【００２２】
本発明の排水栓装置につき、浴槽の排水口に取り付ける排水栓装置として構成した場合の第２実施例を以下に示す。第２実施例は、第１実施例における駆動機構１５０および開閉機構１４０の構造が異なっており、その他は第１実施例と同様である。従って、以下では、駆動機構および開閉機構を中心に説明する。
【００２３】
図４は、第２実施例における排水栓装置の構造を示す説明図である。図４（ａ）には断面図を示した。
第１実施例と同様、排水栓１３０を駆動するための駆動機構１６０はエルボ１１０Ａに組み込まれている。第２実施例では、駆動機構１６０として、排水栓１３０の突起部１３２ｂを押し上げるカム機構を採用した。即ち、駆動機構１６０は、エルボ１１０Ａの壁面の法線方向の回転軸Ｃ周りに回転可能に支持されている。駆動機構には、円板状の動力板１６３と、カム補助板１６２、およびカム１６１が備えられている。本実施例では、これらは一体的に形成するものとしたが別体の部材を組み合わせてもよい。カム補助板１６２は動力板１６３よりも小径の扇形部材である。これらの正面形状については後で示す。
排水栓１３０を閉じているときは、カム１６１は突起部１３２ｂを押し上げないよう下端の位置にある。排水栓１３０を開く場合には、動力板１６３を回転させると、カム１６１が上位置に移動し、排水栓１３０の突起部１３２ｂを下から押し上げることによって、排水栓１３０を開くことができる。開閉動作については、後述する。
動力板１６３には、その直径の両端付近に磁石１６４、１６５が取り付けられている。本実施例では、磁石１６４、１６５の極性は外側をＮ極、内側をＳ極としたが、逆でもよい。この磁石１６４、１６５に外部から磁力を作用させることによって駆動機構１６０に回転軸Ｃ周りの回転トルクが作用することになる。動力板１６３の半径は、回転軸Ｃからカム１６１の先端までの距離よりも大きくなっているため、輪軸の作用に基づき、動力板１６３に外部から作用した力は増大されて、カム１６１を駆動する。従って、磁力を介して外部から作用するトルクが比較的弱い場合であっても、排水栓１３０を駆動するのに十分な力を出力することが可能となる。
【００２４】
開閉機構１７０は、磁力によって駆動機構１６０を駆動するための機構である。図示するように開閉機構１７０は回転軸Ｃ周りに回転する円板状の部材であり、その直径の両端付近に駆動用磁石１７１、１７２が備えられている。駆動用磁石１７１、１７２は、動力板１６３の磁石１６４、１６５と引き合う向きの極性、この例では、図中の左側がＳ極、図中の右側がＮ極となっている。開閉機構１７０には、回転軸Ｃ周りに回転させるための機構が連結されている。この機構については、後述する。
【００２５】
図４（ｂ）は駆動板等の正面形状を示す説明図である。図示する通り、動力板１６３は円板状の部材である。その直径の両端、この図では上下方向に磁石１６４、１６５が取り付けられている。
カム補助板１６２は、回転軸Ｃを中心とする扇形の部材である。カム補助板１６２は、排水栓１３０をカム１６１上で安定して駆動させる役割を果たす部材である。本実施例では、中心角を９０度としているが、中心角については任意の角度に設定可能である。
カム１６１は、カム補助板１６２の半径に相当する板状の部材である。図４（ｂ）には、カム１６１が下端にある状態を示した。この状態では、排水栓１３０の突起部１３２ｂは、ほぼ回転軸Ｃ付近でカム１６１に接触している。
【００２６】
図４（ｃ）は開閉機構１７０を回転させるための機構を示す説明図である。この機構は、２組の導管１７３Ｂ、１７３Ｃおよびインナー材１７３Ｄ、１７３Ｅを用いて、回転トルクを伝達するよう構成されている。導管１７３Ｂ、１７３Ｃは密着コイルバネで構成されている。それぞれの導管１７３Ｂ、１７３Ｃ内に挿入されたインナー材１７３Ｄ、１７３Ｅは単線またはより線のワイヤとすることができる。導管１７３Ｂ、１７３Ｃは固定されている。保護のため、導管１７３Ｂ、１７３Ｃを覆う被覆管１７３Ａを設けても良い。また、図示の便宜上、導管１７３Ｂ、１７３Ｃを平行に配置した状態で示しているが、いずれも柔軟性を有する部材であるため、導管１７３Ｂ、１７３Ｃを密着させた上、被覆管１７３Ａで覆うようにしても差し支えない。
インナー材１７３Ｄ、１７３Ｅは、それぞれ操作部１７５、開閉機構１７０に固定されている。操作部１７５は、回転軸１７５Ｃを中心に回転可能な円板状部材である。操作部１７５、回転軸１７５Ｃを滑車で構成し、インナー材１７３Ｄ、１７３Ｅを一連の環状のワイヤとした上で、操作部１７５、開閉機構１７０に引っかける構造やこれらに複数回巻き付ける構造などとしてもよい。
かかる構造において、操作部１７５を、図示する通り、右回転Ｒ１の方向に回転させたとする。この回転によって、インナー材１７３Ｄには引っ張り力ＴＲ１が作用する。この引っ張り力ＴＲ１はインナー材１７３Ｄによって伝達され、駆動機構１７０の外周部分を引っ張り力ＴＲ１で引っ張るため、これを矢印Ｒ２方向に回転させることができる。操作部１７５を逆方向に回転させた場合には、同様に、インナー材１７３Ｅによって引っ張り力が伝達され、駆動機構１７０を回転させることができる。
この機構を用いることによって、操作部１７５を回転させる操作力を、駆動機構１７０に伝達することが可能となる。
【００２７】
図５は、排水栓の開閉動作を示す説明図である。カム１６１によって排水栓１３０が押し上げられた状態を示している。図５（ａ）には側断面図を示し、図５（ｂ）には駆動機構１６０を正面から見た状態を示した。
図５（ａ）に示す通り、開閉機構１７０を回転軸Ｃ周りに矢印Ｒのように約９０度、回転させる。開閉機構１７０の駆動用磁石１７１、１７２と、動力板１６３の磁石１６４、１６５との間には引力が働いているから、開閉機構１７０の回転に併せて、動力板１６３も回転する。開閉機構１７０の回転角度については、排水栓１３０を開閉させるストロークが可能な範囲で任意に設定すればよい。
図５（ｂ）に示すように、上述の動作に伴って、カム補助板１６２およびカム１６１も回転する。この結果、排水栓１３０の突起部１３２ｂは、カム１６１によって押し上げられ、排水栓１３０が開く。
【００２８】
以上で説明した第２実施例の排水栓装置においても、エルボ１１０Ａの外部から磁力を作用させることで、排水栓１３０を開閉することができる。
また外部から作用させた力は、動力板１６３およびカム１６１によって増大されるため、磁力が比較的弱い場合でも、排水栓１３０を開閉することができる。
【００２９】
以上、本発明の種々の実施例について説明した。以上の実施例で説明した種々の特徴は、必ずしも全てを備えている必要はなく、一部を省略したり、適宜、組み合わせて用いたりしてもよい。
また、本発明は、上述の実施例に限らず、種々の変形例をとることができる。
例えば、実施例では、円形の排水口に適用する例を示したが、本発明の排水口装置は、非円形の排水口に適用することもできる。また、排水口以外にも、油など種々の液体を貯留する槽体に適用可能である。
実施例では、引力を利用して排水栓を開閉する機構を示したが、斥力を利用した駆動する機構としてもよい。
【産業上の利用可能性】
【００３０】
本発明は、液体を貯留する槽体の排出口を塞ぐ排水栓を開閉する排水栓装置の開閉機構に適用することができる。
【符号の説明】
【００３１】
１…排水栓装置
２…操作ボタン
３…レリースワイヤ
３Ｔ…アウタチューブ
３Ｗ…インナワイヤ
４…開閉機構
１０…浴槽
１１…底板
１２…槽体
１３…リム
１４…排水栓
１１０…エルボ
１１１…フランジ部
１１２…ネジ溝
１１３…連結部
１１４…本体
１１４ａ…ストッパ
１１５…支柱
１１５ａ…回り止め
１１６…シェルフ
１１７…空隙
１１８…ワイヤ通路
１２０…排水口部材
１２１…フランジ部
１２２…本体
１２３…ネジ溝
１２５、１２６…シール
１３０…排水栓
１３１…蓋体
１３２…スライド部
１３２ａ…補強部
１３２ｂ…突起部
１３３…キャップ
１３４、１３５…磁石
１３６…シール
１４０…開閉機構
１４１…本体
１４２…空隙
１４３…磁石
１５０…駆動機構
１５０ｃ…回転軸
１５１…アーム
１５２…先端作用部
１５３…トルク伝達部材
１６０…駆動機構
１６１…カム
１６２…カム補助板
１６３…動力板
１６４…磁石
１７０…開閉機構
１７１、１７２…駆動用磁石
１７３Ａ…被覆管
１７３Ｂ、１７３Ｃ…導管
１７３Ｄ、１７３Ｅ…インナー材
１７５…操作部
１７５Ｃ…回転軸
【図１】
2014159697.tif 000003
【図２】
2014159697.tif 000004
【図３】
2014159697.tif 000005
【図４】
2014159697.tif 000006
【図５】
2014159697.tif 000007